(57)【要約】【課題】  スクラッチカードにおいて、不正者が一度スクラッチをして秘密情報を読み取った後、再度同様のスクラッチ隠蔽層を設けると、その後入手した正当な使用者にとって、目視にて容易に判読できる不正の痕跡を残すことは困難であり、その隠蔽層に香料を含ませても同様であった。【解決手段】  スクラッチカードのスクラッチ隠蔽部に、秘密情報を劣化させる成分を含んだマイクロカプセルを入れることで、スクラッチを実施したときにその成分が秘密情報を劣化させる時間を制御することで、不正行為が行われた場合、目視にて容易に確認できるようにし、不正行為による被害を少なくすると共に、不正行為の防止を図ることができるスクラッチカードを提供する。【選択図】  図１
2010149430.tif 000002
【特許請求の範囲】
【請求項１】
カード基材上の少なくとも一部に秘密情報表示部が設けられ、前記秘密情報表示部を覆うようにスクラッチ隠蔽層が設けられ、前記スクラッチ隠蔽層を粉砕した際に前記秘密情報表示部を劣化させる液状物質を含むマイクロカプセルを、前記スクラッチ隠蔽層が含有しているスクラッチカードであって、
前記秘密情報表示部は、劣化する速さの異なる２以上の領域を有することを特徴とするスクラッチカード。
【請求項２】
前記液状物質に香料が含まれることを特徴とする請求項１記載のスクラッチカード。
【発明の詳細な説明】
【技術分野】
【０００１】
本発明は、カード上の秘密情報表示部を隠蔽するためのスクラッチ隠蔽層が設けられたスクラッチカードであって、特に偽造品や変造品に対する真偽判定を「前記秘密情報表示部の劣化」の状況、さらには、「香り」を確認することにより行うことができるスクラッチカードに関する。
【背景技術】
【０００２】
（背景技術）
通信網やコンピュータネットワークの普及とともに、わが国においても第三次産業の占める割合が急速に伸び、様々な業者による様々なサービスの提供が行われている。このようなサービス業者は、物品の販売ではなく、特定のサービスの提供により対価を得ているため、物品を販売する一般の業者とは異なる形態により、顧客からの料金回収を行っていることが多い。たとえば、顧客の銀行口座から、利用したサービスに相当する対価を自動的に引き落とす方法や、信販会社に対してクレジット契約を予め締結しておき、信販会社を介して利用料金を決済する方法などは、ごく一般的な料金回収の形態であり、電気料金、ガス料金、水道料金などの公共サービスや、種々の情報提供サービスなどにおける料金決済の手法として広く利用されている。また、プリペイドカードの販売という形式により、将来提供されるべきサービスに対して、料金回収を先に行ってしまう方法も普及している方法であり、料金や運賃の回収に広く利用されている。
【０００３】
上述した銀行口座からの自動引き落としや、信販会社を介した決済という方法は、非常に堅実な方法ではあるが、事前の手続きが面倒で、また、サービスの利用開始までに時間がかかるという問題がある。したがって、公共料金など利用が不可欠なサービスについては、有効な料金回収方法であるとしても、顧客にとって恣意的なサービスについての料金回収方法としては、必ずしも適切ではない。利用料金の支払いのための手続きが面倒であったり、実際に利用が可能になるまでに何日も待たされたりすれば、顧客はそのサービスの利用に躊躇せざるを得なくなる。これに対して、プリペイドカードを用いた料金回収方法は、非常に手軽な方法であり、サービスによっては非常に有効な方法である。すなわち、通常の物品を購入するのと同じ形態で、サービスに対する対価の支払いを行うことができ、かつ、プリペイドカードを購入した時点からそのサービスを利用できるようになる。
【０００４】
このような利便性から、プリペイドカードの利用が拡大したが、その半面、プリペイドカードの偽造や変造という問題が生じるに至っている。すなわち、一般的なプリペイドカードは、磁気的に残存対価を記録する方式を採っているため、この磁気的な記録の改竄という方法による不正利用が蔓延する結果となっている。このように、従来の磁気記録を利用したプリペイドカードは、安全性の面で問題が生じている。
そこで、カードそのものには金額等の記録を保持せず、「認証番号等」のみを秘密情報として保持させて、そのカードを購入した者がその番号等を「申告する」ことにより種々のサービスを受けることができる等のプリペイドカードサービスが普及している。この番号等は、秘密情報として秘匿するために、スクラッチ隠蔽層等により隠蔽されている。（例えば、特許文献１参照。）
【０００５】
（先行技術）
さらに、インスタント抽選券、秘密情報伝達カード、クイズカード等で、一時的に秘密にしたい情報をシート上にプリンター等で印字表示し、それらの秘密情報表示部の上層に引っ掻くことで破壊されるスクラッチ隠蔽層を形成させてなる「スクラッチカード」が用いられている。これらのスクラッチ隠蔽層は、比較的容易に入手できる原料から形成することが可能であるため、偽造や変造を行うことも容易である。例えば、販売前の段階において、販売関係者が宝くじ等のインスタント抽選券のスクラッチ隠蔽層を一旦引っ掻いて剥離し、抽選番号を見て当たりの抽選券と外れの抽選券を事前に確認して判別しておき、再度抽選番号の表示部分上にスクラッチ隠蔽層を再形成することで、見かけ上、元の状態に戻しておき不正行為が行われたことを気づかれないようにカムフラージュし、当たりの抽選券を知り合いに販売することで特定の客に儲けさせる等の不正行為を働くことも可能である。この対策として、スクラッチ隠蔽層に香料を含んだマイクロカプセルを入れ、真偽判定をする方法が提案されている。しかし、この方法では、正当な使用者がスクラッチした際、バラの匂い等、嗅覚に訴える販促的効果は期待できるが、不正者が一度スクラッチをした後、再度同様の匂いの香料を含むスクラッチ隠蔽層を設けても、その後入手した正当な使用者にとって、目視にて容易に判読できる不正の痕跡を残すことは困難であった。（例えば、特許文献２参照。）
【０００６】
【特許文献１】特開平１０−２１４３２０号公報
【特許文献２】特開２００１−４７７７７号公報
【発明の開示】
【発明が解決しようとする課題】
【０００７】
本発明は、スクラッチカードの不正の判定を誰でも簡単に行うことができるようにすることで、不正行為が行われた場合でも目視にて容易に確認できるようにし、不正行為による被害を少なくすると共に、不正行為の防止を図ることができるスクラッチカードを提供するものである。
【課題を解決するための手段】
【０００８】
上記の目的を達成するために、本発明のスクラッチカードの第１の態様は、
カード基材上の少なくとも一部に秘密情報表示部が設けられ、前記秘密情報表示部を覆うようにスクラッチ隠蔽層が設けられ、前記スクラッチ隠蔽層を粉砕した際に前記秘密情報表示部を劣化させる液状物質を含むマイクロカプセルを、前記スクラッチ隠蔽層が含有しているスクラッチカードであって、前記秘密情報表示部は、劣化する速さの異なる２以上の領域を有することを特徴とするものである。
本発明のスクラッチカードの第１の態様によれば、
カード基材上の少なくとも一部に秘密情報表示部が設けられ、前記秘密情報表示部を覆うようにスクラッチ隠蔽層が設けられ、前記スクラッチ隠蔽層を粉砕した際に前記秘密情報表示部を劣化させる液状物質を含むマイクロカプセルを、前記スクラッチ隠蔽層が含有しているスクラッチカードであって、前記秘密情報表示部は、劣化する速さの異なる２以上の領域を有することを特徴とするスクラッチカードが提供される。
「液状物質」とは、常温で液体であるものをいうが、本発明の「液状物質」は、秘密情報を形成するインキやトナーを劣化（膨潤、溶解等）することができる液体をいい、インキやトナーの樹脂と相溶して、インキやトナーに含まれる顔料等を流動させ、インキやトナーが形作っていた「表示」を判読不能とするものである。判読不能となることにより「表示部の表示が消失」したものと考える。
本発明の「液状物質」は、マイクロカプセルから流出して、「速やかに表示を消失させることを想定した表示部」の表示を速やかに消失させた後も、秘密情報表示部上にその流動性を保持したまま残り、「所定の時間経過後に表示部の表示が消失するように設定した表示部」の表示を消失させる。
もちろん、消失しないで残った秘密情報表示部が示す表示が、正規に使用される秘密情報となる。
【０００９】
従って、秘密情報表示部は、速やかに消失する領域、後に消失する部分及び消失しない領域の少なくとも３つの領域から成り立っている。後に消失する部分がその経過時間において複数ある場合はこの領域は４以上となる。秘密表示部の「一領域」は、「一部分」とも呼ぶ。
上記したように本発明の「液状物質」は、、秘密情報表示部上にその流動性を保持したまま長時間残る必要があるため、分子量が比較的多きくき揮発し難いもの（低揮発性成分。）と、流動性を確保するための低分子量のもの（揮発性は高い。高揮発性成分。）との混合系や、水系材料等（水溶液、アルコール類等）さらには、イオン液体等（イミダゾリウム系、ピリジニウム系、脂肪族系などのイオン液体等）の揮発性が小さく流動性の高いもの等からなる。水系材料やイオン液体は、低揮発性と流動性を合わせ持つため好適である。
カード基材上に秘密情報表示部の秘密情報として、暗証番号、個人認証番号、口座番号、その他の個人特有の番号・記号や、抽選番号・記号、管理番号・記号等の単なる連続番号や記号であって、登録することによりその有効性を発現するもの、暗号鍵番号である共通鍵番号のように同一の番号、さらには、全くの乱数であってカード作成時に発生させ作製者含め誰もその番号の内容を知らないよう工夫した番号等、知ることが許された者のみが見ることができ、その他の者は物理的に見ることができないよう設定される番号・記号等がある。もちろん、そのカードの用途により、番号・記号のみならず、図形その他、個人及びそのカード供給者が共通に認識できるもの（情報）であれば何でもよい。
【００１０】
さらに、秘密情報表示部に、地紋、彩文や繰り返し情報等の共通情報を形成しておき、その地紋、彩文等の中のごく一部（カードに一箇所のみ等）に、その地紋、彩文等とは「異なる情報」を秘密情報表示部の秘密情報として、いれておき、一見してはカードの中のどこにその「異なる情報」があるか判別し難いようにすることも偽造防止性を高める方法である。
例えば、「ＳＣＲＡＴＣＨ  ＳＣＲＡＴＣＨ  ＳＣＲＡＴＣＨ・・」と小さい文字情報として薄い濃度で斜めがけに繰り返して形成した場合、カード内のどこか一箇所が「ＲでなくＬ」となっている等、形状のみならず発音も類似して、違和感を与えないように配慮したもの、さらには、カード内のどこか一箇所の「Ｒがブランク」、「Ｒが逆文字」、「ＲがＢ」になっていて、単なる印刷ミスと思わせるように形成したものとすることもできる。
もちろん、一見して消失していることに気づく大きな情報や、ロゴマーク等の当然あるべき情報の半分のみ消失させてもよい。
【００１１】
これらの秘密情報をカードに表示する方法（秘密情報表示部とする方法。以下、「秘密情報」もしくは「秘密情報表示部」を総称して「秘密情報」とする。）としては、可変情報を形成する方式として、感熱溶融転写方式、昇華転写方式及び、インクジェット方式等があり、固定情報を形成する方式としては、グラビア印刷方式、オフセット印刷方式、活版印刷方式、凹版印刷方式、スクリーン印刷方式等がある。
これらの方式により、前記秘密情報をカード基材へ形成し（秘密情報形成部）、この秘密情報を使用者等の目視による判読を防ぎ、正当な使用者のみがスクラッチによりその秘密情報を判読できるようにするためのスクラッチ隠蔽層を前記秘密情報形成部分を覆うように形成する。
このスクラッチを行った履歴を残すために、液状物質を前記スクラッチ隠蔽層に含めるが、液状であることによって、そのスクラッチ隠蔽層からその液状物質が染み出したり、その匂いが前記隠蔽層から出ては意味がない。そのため、その液状物質の染み出しや、その匂いを遮蔽するカプセル膜材で包み込んだマイクロカプセルとして含有する。また、比較的長時間その液状物質をそのカプセル内に留めるため、カプセル膜材は、その液状物質の溶解性に対する耐性を有する必要がある。
【００１２】
その上で、スクラッチをしたときには、このマイクロカプセルが粉砕され（マイクロカプセルが破れるという意味。）、その液状物質が流れ出して、前記スクラッチ隠蔽部の秘密情報に接して、その秘密情報の一部を膨潤させ、もしくは一部溶解して秘密情報の判読を阻害する、すなわち秘密情報を消失させるものとする。
もちろん、液状物質の量に限りがあるため、さらには、流れ出る領域に限りがあるため、秘密情報の全てを溶解、判読不能、消失することは困難であるが、秘密情報の中に、この溶解を想定して、通常の数字・文字・記号・マーク・図形等のその「大きさ」より「小さい」数字・文字・記号・マーク・図形等を含めておき（例えば、１／２サイズ、さらには１／１０サイズ等。１／５〜１／１０以下であれば、速やかに消失するが、それより小さいと可変情報形成方式で正確に形成できない。）、その部分を確認することで不正を判定することもできる。この小さい数字・文字・記号・マーク・図等をスクラッチカード毎に変更し、正当な使用者のみにその「存在」及び、場合によってはその「内容」を知らせることにより（カード上の別の場所に同一のものを形成しておく等。）、「不正の発見」を精度よく実施することもできる。
さらには、秘密情報を「白抜き文字等」とし、その「白抜き」の輪郭線を極く細い線として（１０ポイント文字であれば、白抜きの輪郭線の幅は、１００μｍ以下となるが、その幅をさらに細くし、例えば３０μｍとする等。）、この溶解の速さを高めることも好適である。
【００１３】
もちろん、秘密情報をさらに小さくすることも可能であるが、その場合には、秘密情報形成方法として、精密リソグラフィーを用い、秘密情報判読方法として、拡大読み取り装置等の準備が必要となり、システム全体が大掛かりなものとなる。
本発明は、これらの膨潤、もしくは一部溶解する秘密情報を、「比較的速やかに変化（劣化）を生じるもの」と、「変化（劣化）に時間がかかるもの」とに分けて形成し、偽造を試みるものが秘密情報を盗み見しようとして、その情報を判読したとき、一部溶解することに気づいたとしても、さらなる（ゆっくりと変化する）溶解部の存在には気づかせないことにより、正規品の偽造や不正使用を防止することを目的とする。
一部溶解する部分に気づいた時は、不正にスクラッチした証拠が残っているため、そのスクラッチカードそのものはもはや正規品として再使用できなくなるという効果も有する。
また、不正者が上記経緯により、不正入手したものを流用することを断念し、やむを得ず、新たに類似品を基材から作成することにした場合は、正規品の秘密情報その他全ての情報をくまなく確認しようとするため、（同じものを作るという目的で、全ての秘密情報を確認する。）スクラッチ隠蔽層も、全てスクラッチして確認しなければならず、スクラッチすると一瞬で消えてしまうようなマイクロ文字部分も、その存在に気づくことなく、くまなくスクラッチして、結局、「速やかに消失するように設定したマイクロ文字部分」の無いものを「偽造品」として作成することになる。
真正性判定時は、その部分の存在を確認することで容易に判定できる。
【００１４】
不正者が正規品をスクラッチして、秘密情報を判読する際、上記状況が起こりうることまで想定して、一部秘密情報が速やかに溶解していく様をなんらかの手段で観察でき、一部溶解性部分をも復元して、正規品と類似するものを作製しようとした場合でも、不正者は、速やかに一部溶解する部分しか認識できていないため、正規な秘密情報（ゆっくりと変化する部分を除いた部分。）を知ることなく、誤った秘密情報（余分な情報が付加されている。）を正規な秘密情報と思い込んで、「使用」しようとし、不正者であることを自ら示すことになる。類似品が正規品でないことは上記経緯から明らかである。
すなわち、正規な秘密情報は、速やかに溶解する部分と、遅く溶解する部分の両方を除外した部分であって、この正規な秘密情報は、このカードを正規に入手した者が、スクラッチしたカードの必要な部分をスクラッチした際、まず、速やかに消失すべきところが消失し、残った秘密情報の中で保持している間に遅くゆっくりと溶解する部分が消えていって、「最後に残った秘密情報」であり、カードを正規に入手した者は、長時間カードを保持することができるため、この「最後に残った秘密情報」を使用すること可能である。
不正者は、スクラッチカードを正規に購入しない限り、長時間スクラッチカードを保持することができない。流通過程その他の場面で、一時的に不正入手して、短時間のうちに盗み見し、元の流通過程へ戻す必要があるためである。
上記のような経過を想定し、「速やかに溶解する」とは、スクラッチを行って数秒から数十秒で溶解、消失することを指し、「遅く溶解する」とは、十時間〜数十時間を要するものの２種類とする。もちろんさらに種類を増やしてもよい。この場合はさらに解析、偽造が難しくなる。
【００１５】
溶解速度、もしくは溶解に至る時間に差をつける方法としては、
秘密情報の印刷層の厚さによる差、文字等の太さ等の形状による差、網点で情報を表示した際のその網点の大きさ、密度、厚さ等による差、さらには、印刷層に使用する樹脂材料（インキ用樹脂等）を液状物質に溶解性の高いものもしくは低いものとして、個々の印刷層そのものに、溶解性の差、液状物質による劣化により表示が消失する速さを異ならせることができる。
このとき、印刷層厚さは、１μｍ〜１０μｍ、通常文字形状は５ポイント〜２０ポイント、マイクロ文字は、０．３ｍｍ程度のサイズ、網点の大きさは、数十μｍ程度とする。網点の厚さは１μｍ〜５μｍとする。
印刷層厚さは、１μｍ以下であると形成安定性に欠け、１０μｍ以上となると通常の方式では形成し難く、液状物質にて溶解し難いものとなる。サイズは、マイクロ文字のように完全な文字形状でなくても有効なものと異なり、秘密情報は、５ポイント以下では再現性に課題があり、２０ポイントを超えるとサイズが大きすぎて、必要な情報量を確保できない。
他の方法として、液状物質で溶解する透明な樹脂層（溶解性樹脂層）の上に印刷等を形成し、液状物質に触れたときは、印刷インキ等がこの樹脂層に徐々に拡散し、文字情報の体をなさなくすることで、情報を判読できない状態とすることもできる。さらには、この樹脂層上（数μｍ厚さ）に薄く（０．１μｍ〜０．５μｍ厚さ）、細い線状（数十μｍ幅程度の線で文字の輪郭を形成）に形成したものは、一瞬で情報が判読できなくなる。
これに対してこの樹脂上に厚く、網点状に形成したものは、印刷層がこの樹脂層に徐々に拡散していき、数十時間で判読不能となる。スクラッチした瞬間には、少し滲むようにみえるが、すぐに乾燥して滲みがとまるように見える。しかしながら、この液状物質は揮発性の小さいの成分を多く含み、長時間この樹脂層に留まり、溶解性を維持する。
これに対して、溶解しない部分の印刷等の下には、この液状物質では溶解しない樹脂層（非溶解性樹脂層）を形成してあり、一見してその差がわからないようにしておく。
【００１６】
さらに、より明確に時間差を設けるために、
方法１：秘密情報の上に、溶解性樹脂層と非溶解性樹脂層を設け、溶解性樹脂層の
溶解する時間が上記した時間差となるようにする方法。
樹脂成分と液状物質との相溶性により、その厚さを定めるが、通常３μｍ〜
５μｍとすることで、この時間差を十時間以上とすることができる。
この時カプセルから溶出する液状物質も揮発し難くこの時間樹脂成分中に
留まる必要がある。数秒で消失するマイクロ文字等はこの樹脂の上に設ける
必要がある。
方法２：秘密情報の溶解しない部分を形成後、非溶解性樹脂層を全面に形成し（数μ
ｍ）、その樹脂の上に溶解する部分、溶解性樹脂層を形成する。この構成に
より、秘密情報を全て同じインキとして時間差を醸し出す方法。
方法３：上記溶解性樹脂層に凹凸部分を設けて、そこにカプセルから流出した成分が
留まるようにする。凹凸の深さは数μｍであり、秘密情報の溶解する部分の
所にのみ凹凸を設ける。このことにより、溶解性を確かなものとする方法。
等の方法を用いることも好適である。
【００１７】
この液状物質としては、秘密情報を形成する感熱溶融転写方式、昇華転写方式及び、インクジェット方式等に用いられる感熱溶融インク、昇華転写材料、インクジェットトナー等を劣化もしくは溶解する性質のものを使用する。すなわち、脂肪族アルコール系、芳香族アルコール、芳香族炭化水素系、環状テルペン系等の液状物質が使用できる。
さらに、水性インク、水性トナーを使用して秘密情報を形成した時には、蒸留水、低級アルコール等、水系のものを用いることができる。衛生面等から考慮して、水系のものが好適である。イオン液体等（イミダゾリウム系、ピリジニウム系、脂肪族系などのイオン液体等）も同様に好適である。
長時間カード上に留まり、溶解性を維持し続けるためには、低揮発性成分を有することが必要となる。すなわち、常温での蒸気圧が５ｋＰａ以下さらには、１ｋＰａ以下である成分を有することが望ましい。揮発する実時間は、スクラッチした際のカプセルの破砕状況や、その他の材料との混ざり具合等によるが、常温での蒸気圧が５ｋＰａを超えると、室内放置において速やかに揮発し、１ｋＰａ以下であると十時間以上残存する。オイルやグリース等のほとんど揮発性を示さない材料も好適である。
【００１８】
感熱溶融インクや、インクジェットトナーは、転写したカード基材上に形成された後、上記した溶解を行うと比較的基材上のその痕跡を残さず除去可能であるが、昇華転写方式の場合は、カード基材に直接昇華転移した場合には、容易にはその痕跡を消失することが難しいため、あらかじめカード基材上に昇華転写材料の受容層（昇華材料の転移を受ける層）を設けておき、その層を上記した方法により溶解することで、その層が保持している秘密情報を溶解させる手法をとる。
上記した液状物質を包み込むマイクロカプセルの膜材としては、ゼラチン、アラビアゴム、ウレタン樹脂、メラミン樹脂等、尿素樹脂等が使用できるが、使用する液状物質により、その耐性のあるものを選定する。
マイクロカプセルの大きさは、１μｍ〜５０μｍであり、その膜の厚さはその１／５以下と非常に薄く、スクラッチにより容易に粉砕することができる。もちろん、カード上に形成しているときは、このような不要な力が働かないため、粉砕されることなく液状物質を保持しつづける。
【００１９】
このマイクロカプセルを種々の樹脂に分散し、グラビア印刷方式、オフセット印刷方式、活版印刷方式、凹版印刷方式、スクリーン印刷方式に使用するインキとして、秘密情報表示部上にその秘密情報を覆うように、スクラッチ隠蔽層を厚さ５μｍから５０μｍ、さらには１０μｍ〜３０μｍで形成する。５μｍ未満では、秘密情報が透けて見える可能性があり、５０μｍ超ではカード上の突出が大きすぎてカードを重ねる等のハンドリングに支障をきたす。さらに１０μｍ以上あれば秘密情報の隠蔽性は十分であり、３０μｍ以下であれば形成作業性に優れ、１０００枚重ねた際の突出量は３ｃｍ以内となり、自動搬送処理等にも使用可能な範囲に収まる。
スクラッチ隠蔽層の厚さがこの範囲であれば、指もしくはつめで容易に粉砕可能である。
但し、正当な使用者が粉砕した際に、その液状物質により即時に秘密情報が消失したのでは秘密情報を判読できないため、マイクロカプセルの含有量を調節する。例えば、スクラッチ隠蔽層において、マイクロカプセルの含有量は、１０％〜７０％とする。１０％以下では、秘密情報を劣化させるには不十分であり、７０％以上であると、スクラッチ層自体の強度が不十分となる。マイクロカプセル内の、液状物質の含有量は、１０％以上４０％以内とする。１０％未満では上記した効果が不十分であり、４０％を超えるとマイクロカプセルの膜材が薄くなり脆弱となる。また、マイクロカプセル含有量を７０％超とし、且つ駅所物質の含有量を４０％超とすると、スクラッチの際、秘密情報が即時に劣化・消失するためその判読性に問題が生じる。この量は、秘密情報を形成する材料、スクラッチ隠蔽層の樹脂、液状物質によって、さらにはスクラッチカードの用途により、適量とする。
【００２０】
本発明のスクラッチカードの第２の態様は、
前記液状物質に香料が含まれることを特徴とするものである。
香料を含ませることで、正当な使用者に対して、「バラの匂い」等、嗅覚に訴え販促効果を醸し出すことが可能であり、且つ、秘密情報形成部以外のカード表面部分へ香料が染み出し、香料の残渣を残すとともに、その匂いもそのカード表面へ広く付着することにより、不正にスクラッチ行為をしたことを明らかにする。
香料としては、種々のものが採用されるが、やはり、スクラッチカードの用途に応じて選定することが好ましい。
香料としては、天然香料として、ジャスミン油やラベンダー油等の植物性香料や、動物性香料、さらには、合成香料（芳香族系、脂肪族系等）が用いられる。もちろん、販促目的でなく、偽造防止目的として、敢えて強い印象の残るスカトール等の「臭い匂い」を採用することもできる。
【発明の効果】
【００２１】
以上、詳細に説明したように、本発明のスクラッチカードは、不正行為の有無を、スクラッチ隠蔽層部分を引っ掻いて破壊した時の秘密情報の劣化状況により判定し易くし、且つ、香りの有無により誰でも簡単に行うことができるので、不正行為が行われた場合に容易に確認することができ、不正行為による被害を少なくすることができる。
【発明を実施するための最良の形態】
【００２２】
以下、本発明の実施形態について、図面を参照しながら、詳細に説明する。
図１は、本発明の１実施例を示すスクラッチカード１の断面図である。
図２は、本発明の１実施例であるスクラッチカード１を粉砕し、数十秒経過した際のスクラッチカード１の断面図である。
図３は、本発明の１実施例であるスクラッチカード１を粉砕し、数十時間経過した際のスクラッチカード１の断面図である。
図４は、本発明の他の実施例を示すスクラッチカード１の断面図である。
図５は、本発明の他の実施例であるスクラッチカード１を粉砕し、数十秒経過した際のスクラッチカード１の断面図である。
図６は、本発明の他の実施例であるスクラッチカード１を粉砕し、数十時間経過した際のスクラッチカード１の断面図である。
これらの図では、秘密情報表示部が全く消失したように表しているが、実際には印刷インキやトナーが膨潤したり、流動したりして、その形状をとどめなくなるため、厚さを維持していない状態となることを意味する。
【００２３】
以下、本発明のスクラッチカードの実施形態について、図面に基づいて説明する。図１は、本発明の１実施例のスクラッチカードの断面図、図２、図３は、図１のスクラッチカードのスクラッチ隠蔽層の一部を引っ掻いた後の状態を示す断面図である。
本発明のスクラッチカード１は、図１に示すようにカード基材２上に秘密情報が印字や印刷により表示された秘密情報表示部３−１、３−２、３−３と、その上に形成された液状物質、もしくは香料を含む液状物質が含有されているスクラッチ隠蔽層４とから構成されている。
カード基材２としては、紙、合成樹脂フィルム等の任意の基材を使用すればよい。本発明のスクラッチカード１は、例えばプラスチックカードや紙カード等のカード類、その他各種の券やシート状の印刷物等として用いることができる。
本発明の他のスクラッチカード１は、図４に示すようにカード基材２上に秘密情報が印字や印刷により表示された秘密情報表示部３−１と、その上に形成された透明な樹脂層３−４（非溶解性樹脂層。）と、その透明な樹脂層の上に表示された秘密情報表示部３−２、３−３とから構成され、その秘密表示部３−３のみを覆うように透明な樹脂層３−５（の溶解性樹脂からなる。）が形成されている。
さらに秘密表示部全体を覆うように、形成された液状物質、もしくは香料を含む液状物質が含有されているスクラッチ隠蔽層４とから構成されている。
そのスクラッチ隠蔽層４は、その中に、マイクロカプセル５を含み、そのマイクロカプセル５の中に液状物質６が含まれている。
カード基材２としては、紙、合成樹脂フィルム等の任意の基材を使用すればよい。本発明のスクラッチカード１は、例えばプラスチックカードや紙カード等のカード類、その他各種の券やシート状の印刷物等として用いることができる。
【００２４】
スクラッチ隠蔽層４としては、ゼラチン、合成ゴム系樹脂、ウレタン樹脂、塩化ビニル・酢酸ビニル樹脂、アクリル樹脂、エポキシ樹脂、等種々のものが用いられる。この樹脂は、前記液状物質により溶解される必要はないが、秘密情報を劣化させるための液状物質の流動性を助けるため、一部溶解性を有することは好適である。
また、体質顔料、シリコンオイル、金属粉等（アルミニウム粉等。）の種々の添加物も使用できる。金属粉を含むと、秘密情報を隠蔽する効果だけでなく、前記液状物質の流動性を促進する効果がある。
透明な樹脂層３−４は、セルロース系樹脂、ポリエステル系樹脂、ビニル系樹脂、エポキシ系樹脂、アクリル系樹脂、これらの共重合体さらには紫外線硬化樹脂等の秘密情報表示部３−１を上記した溶解から保護する性質を有するものが使用される。その厚さは形成方法によるが、１μｍから５μｍとする。
透明な樹脂層３−５は、ゼラチン、合成ゴム系樹脂、ウレタン樹脂、塩化ビニル・酢酸ビニル樹脂、アクリル樹脂、エポキシ樹脂、等種々のものが用いられる。
この樹脂は、前記液状物質により溶解されるが、この樹脂層の下にある秘密情報表示部３−３の溶解を引き伸ばす役目を持つ。すなわち、スクラッチした際に直接「液状物質」速やかに接触する秘密情報表示部３−２とは異なり、この透明な樹脂層３−５の溶解を待って、その後、秘密情報表示部３−３の劣化が開始される。その厚さはこの開始時間の設定によるが、３μｍから１０μｍとする。
スクラッチ隠蔽層４の上には、保護層として、セルロース系樹脂、ポリエステル系樹脂、ビニル系樹脂、エポキシ系樹脂、アクリル系樹脂、これらの共重合体さらには紫外線硬化樹脂等を設けて、スクラッチカード使用等における液状物質の染み出しを防止したり、秘密情報の隠蔽をさらに強化してもよい。
印刷インキや、トナーに使用される樹脂等は、「液状物質」による溶解性を考慮して、
また、劣化時間の差や、秘密情報表示部の層構成、さらには、秘密情報表示部の表示そのものの形により「非溶解性樹脂」又は「溶解性樹脂」を選定する。
【００２５】
液状物質６としては、スクラッチカードを使用する環境において液体であって、
水性インキに対応して、蒸留水等や、脂肪族アルコール、環状テルペンアルコール、芳香族アルコール等のアルコール類及びこれらの混合物、
樹脂系インキに対応して、環状テルペン類、芳香族炭化水素等、ケトン類等及びこれらの混合物を使用することができる。
または、下記する香料において、液状物資の性質を持つものは液状物質として使用することができる。もちろん、上記液体を混合して、液状としたものも好適である。香料そのものが、秘密情報の溶解性を持つ場合は、もちろん、単体で用いることもできる。
これらの材料の中で、比較的分子量の小さい常温で流動性を有するものや、水系のものを含めることで、マイクロカプセル５を破砕したときの液状物質６の広がりを確保し、さらには、低揮発性材料を含めて、液状物質６が流れ出した後、所定の時間は揮発せずに(僅かずつ揮発して)秘密情報表示部３−１、３−２に接し続けて、その劣化を進める。
香料としては、以下に示すようなものを用いることができる。
（１）天然香料
植物性香料として、ジャスミン花油、ラベンダー油、ペパーミント油、ローズマリー油、ベルガモット油、レモン油、カシア油、オレンジ油、アニス油、オリス油、ネロリ油、スパイク油、パチューリ油、サイム油、クラリセイジ油、パルマローザ油等
動物性香料として、カストリウム、ムンク等
（２）エステル類
脂肪族酸エステルとして、吉草酸エステル、ヘプチンカルボン酸エステル、ミリスチン酸エステル等、芳香族酸エステルとして、安息香酸エステル、サリチル酸エステル等
（３）炭化水素
環状テルペン炭化水素として、α−ピネン、β−ピネン、カンフェン、ジペンテン等、
芳香族炭化水素として、フェノール類、フェノールエーテル類、ヒドロキノン類、アニーソル類、オイゲノール類、フサロール類、ナフトール類等
【００２６】
（４）アルコール類
脂肪族アルコールとして、ｎ−ノニルアルコール、ｎ−オクチルアルコール、ジメチルオクタノール、ｎ−ウンデシレンアルコール、等、さらに、オレフィン系テルペンアルコールゲラニオール、シトロネロール、リナロール、テトラヒドロリナロール、ヒドロキシ・シトロネロール、ロジノール等、
環状テルペンアルコールとして、α−テルピネオール、β−テルピネオール、γ−テルピネオール、イソプレゴール、メントール、ボルネオール、イソボルネオール、等
セスキテルペンアルコールとして、ネロリドール、サンタロール、ファルネソール、等
芳香族アルコールとして、アニスアルコール、ベンジルアルコール、シンナミックアルコール、γ−フェニルプロピルアルコール、メチルフェニルカルビノール、ジメチルフェニルカルビノール、ジメチルベンジルカルビノール、β−フェニルエチル・ジメチルカルビノール、β−フェニルエチル・メチルエチルカルビノール、フェノキシエチルアルコール等
（５）ケトン類
脂肪族ケトンとして、メチル−ｎ−ノニルケトン、メチル−ｎ−アミルケトン、メチル−ｎ−ヘキシルケトン、メチル−ｎ−アミルケトン、ジアセチル、メチルヘプテノン等
環状テルペンケトンとして、メントル、カルボン等、
ｃ）芳香族ケトン
ベンジリデンアセトン、ベンゾフェノン、メチルナフチルケトン、イオノン、メチルイオノン、イロン、ジャスモン、シベトン、エキザルトン、アセトフェノン、ｐ−メチルアセトフェノン等
（６）ラクトン及びオキシドとして、エキザルトリド、クマリン、シネオール等
（７）アルデヒド類
ｎ−ウンデシアルデヒド、ｎ−ヘキサンデシルアルデヒド等の脂肪族アルデヒド、
シトロネラール、シトラール等のオレフィン系テルペン、
サリチルアルデヒド、アニスアルデヒド等の芳香族アルデヒド
（８）窒素カ化合物
スカトール、インドール、ニトロベンゾール、キノリン誘導体等
を使用することができる。この中でも、天然香料は、販促効果が高く、衛生面に優れる。
【００２７】
マイクロカプセル化の方法としては、気中懸濁法等の物理的・機械的手法による方法や、界面重合法、ｉｎ−ｓｉｔｕ重合法、コンプレックスコアセルベーション法、有機溶剤系からの相離法、液中乾燥によるマイクロカプセル化法、融解分散冷却法によるマイクロカプセル化法、液中硬化被覆マイクロカプセル化法等の物理化学方法及び化学的方法によりマイクロカプセル化する。
上記のマイクロカプセル化において、物理的・機械的手法による方法では、壁膜材として、でん粉、ポリビニルピロリドン、カルボキシメチルセルロース、ゼラチン、アラビアゴム、メチルセルロース、ヒドロキシエチルセルロース、ポリビニルアルコール、ポリアクリル酸等の水溶性物質、セルロースアセテート、エチルセルロース、ポリメタクリレート、ポリアミド、ポリエチレン、ニトロセルロース、シリコーン等の非水溶性物質、ステアリン酸、パルミチン酸、グリセリルステアレート等のワックス類等を用いることができる。
また、物理化学的方法及び化学的方法では、ポリエステル、ポリウレタン、ポリアミド、ポリスルフォンアミド、エポキシ化合物、ポリスンフォネート、ポリカーボネート、ポリオール、ポリイソシアナート、ポリアクリル酸、アクリレート化合物、ポリアミン、ポリサルファイド、尿素、ゼラチン、ゴム、エチルセルロース、フェノール樹脂、マレイン酸樹脂、ポリ塩化ビニル、ポリアクリル酸塩、ワックス、脂肪酸、ポリエチレン、ポリビニルアルコール等を用いてマイクロカプセル化を行う。
これらのマイクロカプセル５に内包化された香料は、図２に示すように、カード基材２上に印字や印刷により表示された秘密情報表示部３の表示情報を見るために、表面から引っ掻くと、スクラッチ隠蔽層４内に混入されているマイクロカプセル５の一部が破壊されるために、マイクロカプセル５内の液状物質や香料が発散されることでその匂いや香りを嗅ぐことができる。
【００２８】
（実施例１）
カード基材２として、厚さ１８８μｍのポリエチレンテレフタレートシートに、下記インキ組成物をオフセット印刷方式にて、「１２３４５」の番号（文字高さ高さ１０ｍｍ、幅１０ｍｍ））の印刷を行い、秘密情報表示部３−１とした。印刷後の番号の厚さは、５μｍとした。
・＜インキ組成物＞
アクリル樹脂                                                        ５０質量部
塩化ビニル・酢酸ビニル共重合体                                      ４０質量部
イソロピルアルコール                                                  ５質量部
カーボンブラック                                                      ５質量部
次に、同様の方式にて、上記印刷した番号の１／１０サイズの「☆」マークを下記インキ組成物を用いて、秘密情報表示部３−２を印刷した。ただし、印刷厚さは、０．５μｍとした。
・＜インキ組成物＞
ポリビニルアルコール樹脂                                            ７５質量部
イソプロピルアルコール                                              ２０質量部
カーボンブラック                                                      ５重量部
さらに、同様の方式にて、「６７８９１０」の番号（文字高さ高さ１０ｍｍ、幅１０ｍｍ）の印刷を下記インキ組成物を用いて行い、秘密情報表示部３−３とした。印刷後の番号の厚さは、３μｍとした。
・＜インキ組成物＞
ポリビニルアルコール樹脂                                            ４０質量部
エチレン−ビニルアルコール共重合体                                  ３５質量部
イソプロピルアルコール                                              ２０質量部
カーボンブラック                                                      ５質量部
【００２９】
この上に、秘密情報を覆う様に、下記液状物質マイクロカプセルを含有する、下記スクラッチ隠蔽層用インキを用いて、スクリーン印刷方式にて、厚さ２０μｍ、縦１０ｍｍ、横３０ｍｍのサイズにて形成し、スクラッチカードとした。
・＜液状物質マイクロカプセル＞
カプセル膜材：メラミン樹脂、液状物質：水／イソプロピルアルコール／オレイルアルコール＝５／１／４（常温蒸気圧１ｋＰa未満）、カプセル平均粒径：５μｍ
・＜スクラッチ隠蔽層用インキ＞
液状物質カプセル                                                    ３０質量部
メラミン樹脂                                                        １０質量部
アルミニウム紛                                                      ４０質量部
メチルイソブチルケトン                                              ２０質量部
このスクラッチカードを、指のつめでスクラッチしたところ、スクラッチ隠蔽層の一部が破れ、中のマイクロカプセルの一部が粉砕して、中の液状物質マイクロカプセルからイソプロピルアルコールが流出して、１０秒程度で速やかに秘密情報表示部３−２である「☆」マークを劣化させた。その後、室内放置をしたところ、徐々に秘密情報表示部３−３である番号「６７８９１０」の各番号の形が変形し始め、１０時間後には、その数字を判定することができなかった。しかしながら、秘密情報表示部３−１の番号「１２３４５」は、全く変化なく、当初の表示を維持していた。
以上の経緯から、秘密情報表示部３−２の「☆」マークは見逃してしまうと思われ、また、秘密情報表示部３−３が長時間経過後変化するとは想定できないことから、スクラッチをする人物は、「秘密情報」を「１２３４５６７８９１０」と誤認し、正規な「秘密情報」である「１２３４５」のみとは想定できないものと思われた。
もしくは、注意深く観察し、「秘密情報」を「１２３４５☆６７８９１０」と誤認するものと思われた。
この番号「１２３４５６７８９１０」もしくは、「１２３４５☆６７８９１０」を用いて、不正行為に及んでも、正規な番号でないため、不正と容易に判明するものと思われた。
さらには、たとえ、「☆」マークを追加印刷して、スクラッチ隠蔽層を補修形成し、正規な流通過程に戻したとしても、すでに秘密情報表示部３−３が液状物質を含んでおり、時間経過とともに膨潤し、後日後、スクラッチしたときには、「☆」のみならず、「６７８９１０」も判読不能の状態になっており、正規な購入者が異常として容易に発見できるものと思われた。
【００３０】
（実施例２）
香料として、植物性香料のレモン油を使用し、液状物質としてジペンテン／シクロヘキサンを４／１にて混合したもの、秘密情報の印字方法としてインクジェット方式を使用した以外は、実施例１と同様として、実施例２を得た。
このスクラッチカードを、指のつめでスクラッチしたところ、スクラッチ隠蔽層の一部が破れ、中のマイクロカプセルの一部が粉砕して、中の液状物質マイクロカプセルからレモン油及びジペンテン／シクロヘキサンが流出して、レモンの心地よい香りがしたと同時に、速やかに秘密情報表示部３−２である「☆」マークを劣化させた。
その後は実施例１と同様であるが、「香り」の残渣によっても不正の痕跡を発見可能であった。
（実施例３）
実施例１の秘密情報表示部３−１を形成後、同様の方式にて、透明な非溶解性樹脂層３−４を５μｍの厚さで形成し、
・＜インキ組成物＞
アクリル樹脂                                                        ５０質量部
塩化ビニル・酢酸ビニル共重合体                                      ４５質量部
イソロピルアルコール                                                  ５質量部
さらに、この上に実施例１と同様に秘密情報表示部３−２、３−３を同様の方式にて同様に形成した。
その秘密情報表示部３−３上のみを覆うように、透明な溶解性樹脂層３−５を３μｍの厚さで形成した以外は、実施例１と同様にして、スクラッチカードを得た。
・＜インキ組成物＞
ポリビニルアルコール樹脂                                            ８０質量部
イソプロピルアルコール                                              ２０質量部
このスクラッチカードを、指のつめでスクラッチしたところ、スクラッチ隠蔽層の一部が破れ、中のマイクロカプセルの一部が粉砕して、中の液状物質マイクロカプセルからイソプロピルアルコールが流出して、１０秒程度で速やかに秘密情報表示部３−２である「☆」マークを劣化させた。
その後、室内放置をしたところ、しばらくは何ら変化がみられなかったが、１０時間経過後より徐々に秘密情報表示部３−３である番号「６７８９１０」の各番号の形が変形し始め、２０時間後には、その数字を判定することができなかった。しかしながら、秘密情報表示部３−１の番号「１２３４５」は、全く変化なく、当初の表示を維持していた。
その後の効果は、実施例１と同様と思われた。
【００３１】
（比較例）
液状物質を除いたこと以外は、実施例２と同様にして、比較例を得た。
このスクラッチカードを、指のつめでスクラッチしたところ、スクラッチ隠蔽層の一部が破れ、中のマイクロカプセルの一部が粉砕して、レモン油が流出して、レモンの心地よい香りがした。
秘密情報「１２３４５」及び「☆」マークは劣化しておらず、明確に読み取ることができた。このことから、この一度スクラッチしたものを、元の形に復元することは容易と推察された。
【図面の簡単な説明】
【００３２】
【図１】は、本発明の１実施例を示すスクラッチカード１の断面図である。
【図２】は、本発明の１実施例であるスクラッチカード１を粉砕し、数十秒経過した際のスクラッチカード１の断面図である。
【図３】は、本発明の１実施例であるスクラッチカード１を粉砕し、数十時間経過した際のスクラッチカード１の断面図である。
【図４】は、本発明の他の実施例を示すスクラッチカード１の断面図である。
【図５】は、本発明の他の実施例であるスクラッチカード１を粉砕し、数十秒経過した際のスクラッチカード１の断面図である。
【図６】は、本発明の他の実施例であるスクラッチカード１を粉砕し、数十時間経過した際のスクラッチカード１の断面図である。
【符号の説明】
【００３３】
１  スクラッチカード
２  カード基材
３−１  秘密情報表示部（劣化しない領域）
３−２  秘密情報表示部（速やかに劣化する領域）
３−３  秘密情報表示部（ゆっくり劣化する領域）
３−４  透明な樹脂層（非溶解性樹脂）
３−５  透明な樹脂層（溶解性樹脂）
４  スクラッチ隠蔽層
５  マイクロカプセル
６  液状物質もしくは、香料を含む液状物質
【図１】
2010149430.tif 000003
【図２】
2010149430.tif 000004
【図３】
2010149430.tif 000005
【図４】
2010149430.tif 000006
【図５】
2010149430.tif 000007
【図６】
2010149430.tif 000008